(57)【要約】【課題】光源部と点灯手段を接続する作業や電気部品の交換作業をより簡便にした表示装置および誘導灯装置を提供する。【解決手段】前面に開口部３を有する器具本体１と、導光板１９とこの導光板１９の側部から光を照射する光源部２０を有し、開口部３より小さい大きさで開口部３を閉塞する表示手段２２と、器具本体１に収納され、光源部２０を点灯させる電気的部品を有する点灯手段１２と、表示手段１７とともに開口部３を閉塞する閉塞手段２２とを備える。【選択図】        図１
2004233804.tif 000002
【特許請求の範囲】
【請求項１】
前面に開口部を有する器具本体と、
導光体とこの導光体の側部から光を照射する光源部を有し、前記開口部より小さい大きさで前記開口部を閉塞する表示手段と、
前記器具本体に収納され、前記光源部を点灯させる電気的部品を有する点灯手段と、
前記表示手段とともに前記開口部を閉塞する閉塞手段と、
を備えたことを特徴とする表示装置。
【請求項２】
前面に開口部、背面に背面板を有する器具本体と、
導光体とこの導光体の側部から光を照射する光源部を各々有し、前記開口部より小さい大きさで前記開口部と背面板側を閉塞する前面と背面の表示手段と、
前記前面と背面の表示手段とともに前記開口部と前記背面板側を閉塞する前面と背面の閉塞手段と、
前記器具本体に収納され、前記光源部を点灯させる電気的部品を有する点灯手段と、
を備えたことを特徴とする表示装置。
【請求項３】
前面に開口部、背面に背面板を有する器具本体と、
導光体とこの導光体の側部から光を照射する光源部を各々有し、前記開口部より小さい大きさで前記開口部を閉塞する前面の表示手段と、
この前面の表示手段とともに前記開口部を閉塞する前面の閉塞手段と、
導光体とこの導光体の側部から光を照射する光源部を有し、前記開口部とほぼ同じ大きさで前記背面板側に設けられた背面の表示手段と
前記器具本体に収納され、前記光源部を点灯させる電気的部品を有する点灯手段と、
を備えたことを特徴とする表示装置。
【請求項４】
閉塞手段は、単独で取り外すことができることを特徴とする請求項１ないし３記載の表示装置。
【請求項５】
背面の表示手段の光源部および点灯手段を電気的に接続する電気的接続手段と、
器具本体の背面板に形成され前記電気的接続手段を挿通する接続手段挿通孔と、を備えたことを特徴とする請求項２ないし４のいずれかに記載の表示装置。
【請求項６】
器具本体内にバツテリーの点検スイッチと、
バツテリー状態を示すインジケータとを備え、
前面の閉塞手段に前記点検スイッチと前記インジケータ用の窓を備えたことを特徴とする請求項１ないし５のいずれかに記載の表示装置。
【請求項７】
前面の閉塞手段にバツテリーの点検スイッチとバツテリー状態を示すインジケータを備えたことを特徴とする請求項１ないし５のいずれかに記載の表示装置。
【請求項８】
請求項１ないし７のいずれかに記載の表示装置の導光体近傍に誘導表示パネルを配設したことを特徴とする誘導灯装置。
【発明の詳細な説明】
【０００１】
【発明の属する技術分野】
この発明は、組立て作業や電気部品の交換作業をより簡便にした表示装置及び誘導灯装置に関する。
【０００２】
【従来の技術】
従来の誘導灯装置は、枠部の少なくとも前面に開口部が形成され内部に電気部品収納部が形成された器具本体と、導光体、光源、器具本体の開口部とほぼ同じ大きさで開口部を閉塞する表示手段と、点灯手段とを備え、電気部品収納部に電気部品を収納しても陰になることがなく電気部品の配置の自由度が大きくなるようにしている（例えば特許文献１）。
【０００３】
【特許文献１】
特許第３２４６５５５号公報（段落０００８−００２５、図１）
【０００４】
【発明が解決しようとする課題】
しかしながら、従来の誘導灯装置では、表示手段のみで器具本体の開口部を閉塞しているため、光源部と点灯手段を接続する際や、本体内に収納してある電気部品を交換する際、表示手段を取り外さなければならず、手間がかかる問題があった。
【０００５】
この発明は上記のような問題点を解消するためになされたもので、光源部と点灯手段を接続する作業や電気部品の交換作業をより簡便にした表示装置および誘導灯装置を提供することを目的とする。
【０００６】
【課題を解決するための手段】
この発明に係る表示装置は、前面に開口部を有する器具本体と、導光体とこの導光体の側部から光を照射する光源部を有し、前記開口部より小さい大きさで前記開口部を閉塞する表示手段と、前記器具本体に収納され、前記光源部を点灯させる電気的部品を有する点灯手段と、前記表示手段とともに前記開口部を閉塞する閉塞手段と、を備えたものである。
【０００７】
【発明の実施の形態】
実施の形態１．
図１はこの発明の実施の形態１を示す誘導灯装置の分解斜視図、図２は誘導灯装置の器具本体の背面斜視図である。図１において、誘導灯装置は、樹脂製の器具本体１を有し、この器具本体１には周囲に四角形状の枠部２を有しこの枠部２の前面側には開口部３が形成され枠部２の背面側は背面板４で閉塞され、これら枠部２及び背面板４で閉塞された部分には電気部品収納部５が形成されている。
【０００８】
枠部２の上辺には天井面などに取付ける際に図示しない電源線を挿通する電源線挿通孔６およびネジ穴である被取付部７がそれぞれ形成され、また、この枠部２の上辺の内面側には天井取付用補強板８が取付けられている。
【０００９】
さらに、背面板４には壁面などに取付ける際に図示しない電源線を挿通する電源線挿通孔９およびネジ穴である被取付部１０がそれぞれ形成され、また、この背面板４の内面側には壁取付用補強板１１が取付けられている。
なお、これらそれぞれの電源線挿通孔６、９およびネジ穴である被取付部７、１０はノックアウト構造で形成されてもよい。
【００１０】
電気部品収納部５には点灯回路等の電気的部品を有する点灯手段１２が設けられ、点灯手段１２の上部には端子台１３が設けられ、端子台１３と点灯手段１２の間は電気配線である配線コード１４にて電気的に接続されている。さらに、点灯手段１２からは先端にコネクタを有する電気的接続手段としての別の配線コード１５、３９が引き出されている。また点灯手段１２の下部又は側部には、電気部品の一つであるバッテリー１６が設けられ、バッテリー１６には先端にコネクタを有する配線コード４０が引き出されている。
【００１１】
また、点灯手段１２の上方には空間部が形成され、器具本体１の天井面又は壁面への取付や電源線の端子台１３への差込の際に作業者の手が入る所定の大きさの作業スペースとなり、作業性を向上させている。
【００１２】
さらに、器具本体１の枠部２の開口部３を閉塞し、表示面を有する表示手段１７が設けられる。この表示手段１７は、表示手段１７の表面に設けられた誘導表示であるピクトグラムが表示された表示パネル１８、表示パネルの背面に設けられた導光体としての導光板１９、導光板１９の一辺に取付けられた光源部２０から構成される。光源部２０は、光源２１と、光源２１と点灯手段１２を電気的に接続する電気的接続手段としての先端にコネクタを有する配線コード３７からなり、光源２１には蛍光ランプやＬＥＤ等が用いられ、この光源からの光を導光板方向に反射する反射板が取付けられる場合もある。
【００１３】
一方、背面板４側には背面の表示手段３１が設けられ、この表示手段３１は、表示手段３１の表面に設けられた表示パネル３２、表示パネル３２の背面に設けられた導光板３３、導光板３３の一辺に取付けられた光源部３４から構成される。光源部３４は、図示しないが光源、光源と点灯手段１２を接続する先端にコネクタを有する配線コードからなる。
【００１４】
また、器具本体１の枠部２の前面の開口部３側には、前面の閉塞手段２２が設けられており、この閉塞手段２２と表示手段１７で開口部３を閉塞する。
器具本体１の背面板４側には、背面の閉塞手段３５が設けられており、この背面の閉塞手段３５と背面の表示手段３１で背面板４側を閉塞する。
なお、前面の表示手段１７と背面の表示手段３１は同一形状のものを用いてもよい。同一形状のものを用いると表示手段の種類が少なくできる。
なお、背面の閉塞手段３５は外観上差し支えなければ取付けなくともよい。
【００１５】
図２において、枠部２の背面板４には、背面の表示手段３１の光源部３４に設けられ、先端がコネクタ（図示せず）の配線コード４７を点灯手段１２に接続するときに配線コード４７を通す接続手段挿通孔４６が設けられている。
【００１６】
次に、誘導灯装置の取付けと組立てについて説明する。図１には、前面の表示手段１７と背面の表示手段３１の両方を器具本体１に取り付けて使用する場合について示しているが、背面の表示手段３１を取り付けないで片方の前面の表示手段１７のみでも使用できるので、前面と背面の両方の表示手段１７、３１を取り付ける場合と、前面の表示手段１７のみを取り付ける場合について説明する。
【００１７】
前面と背面の両方の表示手段１７、３１を取り付ける場合は、まず、器具本体１を枠部２の上面の被取付部７にネジを通して天井面に取付け、電源線挿通孔６から電源線を挿通し、端子台１３に接続する。そして、バッテリー１６の配線コード４０と点灯手段１２の配線コード１５の接続する。次に、前面の表示手段１７と前面の閉塞手段２２を器具本体１に取付ける。光源部２０の配線コード３７を点灯手段１２の配線コード３９に接続するのは表示手段１７の取付けの前でも後でもよい。
【００１８】
次に、背面の光源部３４に設けられた配線コード４７を背面板４に設けられた接続手段挿通孔４６に通し、点灯手段１２の配線コード３９に電気的に接続する。図示しないが、配線コード３９は、前面の光源部接続用と背面の光源部接続用と別体になっている。そして、背面の表示手段３１と閉塞手段３５を器具本体１の背面板４側に取付ける。光源部３４の配線コード４７を点灯手段１２の配線コード３９に接続するのは表示手段３１の取付の前でも後でもよい。
なお、前面および背面の閉塞手段２２、３５は単独で取り外すことができる。
【００１９】
前面の表示手段１７のみを取り付ける場合の一例は、まず、器具本体１を背面板４の被取付部１０にネジを通して壁面に取付け、電源線挿通孔９から電源線を挿通し、端子台１３に接続する。そして、バッテリー１６の配線コード４０と点灯手段１２の配線コード１５の接続する。次に、前面の表示手段１７と前面の閉塞手段２２を器具本体１に取付ける。光源部２０の配線コード３７を点灯手段１２の配線コード３９に接続するのは表示手段１７の取付けの前でも後でもよい。
【００２０】
前面と背面の表示手段１７、３１の両方、または、前面の表示手段１７のみを取り付ける場合、図１に示すように、前面の閉塞手段２２を表示手段１７の光源部２０に隣接して配設する場合は、表示手段１７を取付後、光源部２０と点灯手段１２間の配線コード３７、３９が器具本体１と表示手段１７の間に挟まっていないか閉塞手段２２で閉塞される部分の器具本体１の開口から確認することができる。その後、閉塞手段２２を取付ける。
また、閉塞手段２２で閉塞される部分の器具本体１の開口がある程度の大きさがあれば、表示手段１７を取付けた後に光源部２０と点灯手段１２の配線コード３９とを接続し、その後、閉塞手段２２を取付てもよい。
【００２１】
以上のように、前面の表示手段１７とともに器具本体１の開口部３を閉塞する前面の表面の閉塞手段とを備えたので、表示手段１７を取り外すことなく、閉塞手段２２のみを取り外すことで、光源２０と点灯手段１２等を接続したり外したりが容易にできる。
また、従来必要であった表示パネル仮止め用のフックや紐、ワイヤー、チェーンなどの線状体が不用になる。またこのフックを取付ける器具本体側のフック固定部が不用になる。
また、閉塞手段２２があることで、光源部２０と点灯手段１２間の配線コード３７、３９が器具本体１と表示手段１７の間に挟まっていないかどうかを確認することができる。
また、表示手段１７を取付けた後に光源部２０と点灯手段１２とを接続できるので、光源部２０と点灯手段１２間の配線コード３７が器具本体１と表示手段１７の間に挟まらないようにすることができる。
また、閉塞手段１７は、単独で取り外すことができることにより、電気部品の取付け取外しが容易にできる。
また、背面の表示手段３１の光源部３４と点灯手段１２を接続する配線コード４７と、器具本体１の背面板４に形成され配線コード４７を挿通する接続手段挿通孔４６を備えたので、電気部品の取付け取外しが容易にできる。
【００２２】
実施の形態２．
実施の形態１では、閉塞手段を表示手段の上方の光源部に隣接して配設する場合を示したが、本実施の形態は閉塞手段を表示手段の下方でバッテリーの近傍に配設する場合を示す。
図３はこの発明の実施の形態２を示す誘導灯装置の分解斜視図である。図において実施の形態１の図１と同一または相当部分には同一の符号を付し説明を省略する。前面と背面の閉塞手段２３、４５を前面と背面の表示手段１７、３１の各々の光源部２０、３４の反対側の下方に配設する。バツテリー１６の状態を示すインジケータ４２とバツテリー１６の状態を点検するための点検スイッチ４３とを器具本体１の下方の隅に配設し、前面の閉塞手段２３にインジケータ４２と点検スイッチ４３用の窓４１を備えている。
【００２３】
次に、誘導灯装置の取付けと組立てについて説明する。
前面と背面の両方の表示手段１７、３１を取り付ける場合は、まず、器具本体１を枠部２の上面の被取付部７にネジを通して天井面に取付け、電源線挿通孔６から電源線を挿通し、端子台１３に接続する。そして、バッテリー１６の配線コード４０と点灯手段１２の配線コード１５を接続する。次に、光源部２０の配線コード３７を点灯手段１２の配線コード３９に接続する。その後、前面の表示手段１７と前面の閉塞手段２３を器具本体１に取付ける。
【００２４】
次に、背面の光源部３４に設けられた配線コード４７を背面板４に設けられた接続手段挿通孔４６に通し（図２）、点灯手段１２の配線コード３９に電気的に接続する。図示しないが、配線コード３９は、前面の光源部接続用と背面の光源部接続用と別体になっている。そして、背面の表示手段３１と閉塞手段４５を器具本体１の背面板４側に取付ける。なお、前面および背面の閉塞手段２３、４５は単独で取り外すことができる。
【００２５】
前面の表示手段１７のみを取り付ける場合の一例は、まず、器具本体１を背面板４の被取付部１０にネジを通して壁面に取付け、電源線挿通孔９から電源線を挿通し、端子台１３に接続する。そして、バッテリー１６の配線コード４０と点灯手段１２の配線コード１５の接続する。次に、光源部２０の配線コード３７を点灯手段１２の配線コード３９に接続する。その後、前面の表示手段１７と前面の閉塞手段２３を器具本体１に取付ける。
【００２６】
以上のように、閉塞手段２３にインジケータ４２及び点検スイッチ４３用の窓４１を備えたので、点検スイッチ４３の操作が容易になる。また、インジケータ４２の視認性を向上させることができる。
また、閉塞手段２３をバッテリー１６近傍に配設したので、この閉塞手段２３のみを取り外してバッテリー１６の交換が可能になり、また、導光板１９を有するため重い表示手段１７を取外す必要が無く、交換作業を容易にすることができる。
【００２７】
なお、本実施の形態は、インジケータ４２及び点検スイッチ４３を器具本体１内に設け、閉塞手段２３にインジケータ４２及び点検スイッチ４３用の窓４１を備えたが、図４に示すように閉塞手段２３自体にインジケータ４２と点検スイッチ４３を備えてもよい。装置の表示面側に点検スイッチ４３やインジケータ４２が配設されることにより、点検スイッチ動作による表示面の変化が容易に確認できるようになり、点検スイッチの操作性がさらによくなる。また、インジケータ４２の視認性がさらに向上する。さらに、壁に埋め込ませる器具形態に対しても適応でき、汎用性が向上する。
【００２８】
なお、実施の形態１、２では、誘導灯装置を示したが、表示手段１７または表示手段３１の表面に誘導表示のピクトグラムでなく、他の表示ができる表示パネルとしての表示装置としてもよい。
【００２９】
【発明の効果】
以上のように、この発明によれば、前面に開口部を有する器具本体と、導光体とこの導光体の側部から光を照射する光源部を有し、前記開口部より小さい大きさで前記開口部を閉塞する表示手段と、前記器具本体に収納され、前記光源部を点灯させる電気的部品を有する点灯手段と、前記表示手段とともに前記開口部を閉塞する閉塞手段と、を備えたので、光源部と点灯手段を接続する作業や電気部品の交換作業をより簡便にすることができる。
【図面の簡単な説明】
【図１】この発明の実施の形態１を示す誘導灯装置の分解斜視図である。
【図２】この発明の実施の形態１を示す誘導灯装置の器具本体の背面斜視図である。
【図３】この発明の実施の形態２を示す誘導灯装置の分解斜視図である。
【図４】この発明の実施の形態２を示す誘導灯装置の閉塞手段の斜視図である。
【符号の説明】
１  器具本体、３  開口部、４  背面板、１２  点灯手段、１４、１５、３７、３９、４０、４７  配線コード、１７、３１  表示手段、１９、３３  導光板、２０、３４  光源部、２２、３５、２３、４５  閉塞手段、４１  窓、４２  インジケータ、４３  点検スイッチ、４６  接続手段挿通孔。
【図１】
2004233804.tif 000003
【図２】
2004233804.tif 000004
【図３】
2004233804.tif 000005
【図４】
2004233804.tif 000006